(57)【要約】  ロック機構を解除するハンドルのアッパレールに対する組付け性を向上させ、また該ハンドル操作時の音の発生を防止し、該ハンドルとアッパレールとの間の製作上の寸法誤差を吸収して適切に作動することができるハンドル用軸受を備えたシートスライド装置を提供するものである。一対のアッパレールに互いに穿設された保持穴に軸支され、回動されることによりロック機構を解除する径方向突部を回動させるハンドル１２と、アッパレールとハンドルに形成された径方向突部との間に配設される外縁部４０、アッパレールとハンドルの外周部との間に配設される保持部３０及びハンドルの軸方向移動を許容する緩衝部３８を有し、前記保持穴に配設されると共にハンドルを支持する軸受部材２６と、を有している。
2008018435.tif 000002
【特許請求の範囲】
【請求項１】
車両のフロアに載置されるべく適合されるロアレールと、
車両のシートに載置されるべく適合され、前記ロアレールに対して移動可能に支持されたアッパレールと、
前記ロアレールと前記アッパレールのどちらか一方に配設されたロック部と、前記ロアレールと前記アッパレールのどちらか他方に配設され前記ロック部に対して係脱可能なロック部材と、を有するロック機構と、
前記ロアレールと前記アッパレールのどちらか他方に設けられた保持穴と、
前記ロアレールと前記アッパレールのどちらか他方に前記保持穴にて回動可能に軸支されて回動されることにより前記ロック部材を作動させるハンドルと、
前記ハンドルに形成された径方向突部と、
前記ロアレールと前記アッパレールのどちらか他方と前記径方向突部との間に配設される外縁部、前記ロアレールと前記アッパレールのどちらか他方と前記ハンドルの外周部との間に配設される保持部及び前記ハンドルの軸方向移動を許容する緩衝部を有し、前記保持穴に配設されると共に前記ハンドルを支持する軸受部材と
を有する車両用シートスライド装置。
【請求項２】
請求項１において、前記軸受部材は、弾性材より形成されている、車両用シートスライド装置。
【請求項３】
請求項１において、前記軸受部材は、前記外縁部、前記保持部及び前記外縁部と共に前記保持穴の縁部を挟持する突起で構成され前記保持穴に横方向の移動を規制して嵌合される嵌合保持部を有する、車両用シートスライド装置。
【請求項４】
請求項１において、前記軸受部材の前記保持部は、前記ハンドルの端部を回動可能に軸支する軸受穴を含み、前記軸受部材の緩衝部は、前記軸受穴の内面より内方へ突出する突起部を含む、車両用シートスライド装置。
【請求項５】
請求項３において、前記軸受部材の突起は、前記保持部に形成され且つ前記外縁部に対向すると共に、前記軸受部材が保持穴へ挿入される際に弾性変形により退縮して前記保持穴を通過し、通過後は該保持穴の縁に当接して前記軸受部材が横方向へ移動するのを規制するものである、車両用シートスライド装置。
【請求項６】
車両のフロアに載置されるべく適合される一対のロアレールと、
車両のシートに載置されるべく適合され、前記ロアレールに対してレール平面内で前後方向に移動可能に支持された一対のアッパレールと、
前記各ロアレールに形成され前記ロアレールの長手方向に並設された複数のロック部及び前記各アッパレールに保持され前記アッパレールの長手方向に伸びる回動軸線回りに回動され前記ロック部に対して係脱可能なロック部材を有するロック機構と、
前記各ロック部材を回動させて前記ロック部と前記ロック部材との係合を解除する一対の解除レバーと、
前記アッパレールの前後方向と直角な横方向に延在する回動軸線回りに回動可能に且つ前記一対のアッパレールにそれぞれ互いに対向して穿設された保持穴に軸支され回動されることにより前記一対の解除レバーを回動させるハンドルと、
前記ハンドルの端部を回動可能に軸支する軸受穴、該端部の軸方向の移動を規制するスラスト軸受部、前記保持穴に横方向の移動を規制して嵌合される嵌合保持部及び前記ハンドルの両端部の横方向距離寸法のばらつきに応じて前記スラスト軸受部を横方向に移動させる横方向緩衝部がそれぞれ形成された一対の軸受部材と
を有する、車両用シートスライド装置。
【請求項７】
請求項６において、前記軸受部材は、前記対向する保持穴の半径方向における保持穴位置の相対的ばらつきを吸収する半径方向緩衝部を有する、車両用シートスライド装置。
【請求項８】
請求項６において、前記軸受部材は、弾性材より形成され、
前記横方向緩衝部は、前記ハンドルの端部に形成された被係合部と、
前記嵌合保持部に連続して形成され前記被係合部に係合するとともに弾性変形する範囲で前記軸受部材に対する前記ハンドルの前記横方向の移動を可能とする係合部と
を備えている、車両用シートスライド装置。
【請求項９】
請求項７において、前記軸受部材は、弾性材より形成され、
前記半径方向緩衝部は、前記保持穴と該保持穴に嵌合保持される前記軸受部材の外径との間に形成される半径方向の間隙を含む、車両用シートスライド装置。
【請求項１０】
請求項６において、前記保持穴及び前記軸受部材の一方に形成された回動規制被係合部と、前記保持穴及び前記軸受部材の他方に形成されて前記回動規制被係合部と係合して前記保持穴に対して前記軸受部材を回動不能に係合する回動規制係合部と、前記軸受部材及び前記ハンドル端部の一方に形成された回動被規制部と、
前記軸受部材及び前記ハンドル端部の他方に形成されて前記回動被規制部と当接して前記軸受部材と前記ハンドルとの相対的な回動角度を規制する回動規制部と
を備えている、シートスライド装置。
【請求項１１】
請求項１０において、前記軸受部材は弾性材より形成されている、車両用シートスライド装置。
【請求項１２】
車両のフロアに載置されるべく適合されるロアレールと、
車両のシートに載置されるべく適合され前記ロアレールに対して移動可能に支持されたアッパレールと、
前記ロアレールと前記アッパレールのどちらか一方に配設されたロック部と、前記ロアレールと前記アッパレールのどちらか他方に配設され前記ロック部に対して係脱可能なロック部材と、を有するロック機構と、
前記ロアレールと前記アッパレールのどちらか他方に設けられた保持穴と、
前記ロアレールと前記アッパレールのどちらか他方に前記保持穴にて回動可能に軸支され回動されることにより前記ロック部材を作動させるハンドルと、
前記ハンドルに形成された径方向突部と、
前記ロアレールと前記アッパレールのどちらか他方と前記径方向突部との間に配設される外縁部、前記ロアレールと前記アッパレールのどちらか他方と前記ハンドルの外周部との間に配設され前記ハンドルの端部を回動可能に軸支する軸受穴を含む保持部及び前記軸受穴の内面より内方へ突出する突起部を含む緩衝部を有し、前記保持穴に配設されると共に前記ハンドルを支持する軸受部材と
を有する、車両用シートスライド装置。
【発明の詳細な説明】
【技術分野】
【０００１】
本発明は、ロアレールとアッパレールとのロックを解除するハンドルを、アッパレールに保持する軸受を備えた車両用シートスライド装置に関する。
【背景技術】
【０００２】
車両の乗員が座るシートには、座る人の体格に適合させるためシートを前後にスライドさせるシートスライド機構が備えられている。シートスライド機構は、例えば、特開２００６−０２７３２９号公報の発明が知られており、図２に示すように、車両の床に前後方向に延在するように固定された一対の第１ロアレール１１及び第２ロアレール１１'に、シートの下面に固定された第１アッパレール１２及び第２アッパレール１２'を摺動可能に嵌合させて構成されている。そして、第１ロアレール１１及び第２ロアレール１１'に対する第１アッパレール１２及び第２アッパレール１２'の摺動をロックするロック機構２０が設けられ、このロック機構２０のロックを解除するリリースレバー１８を作動させるアーム８１を周囲に突設させたロッド５１が設けられている。このロッド５１は第１及び第２アッパレール１２,１２'に突設された第１及び第２サイドフレーム４１,４１'の第１及び第２穴４３,４３'に第１及び第２フェルト６３,６３'を介して回動可能に軸支されている。第１フェルト６３は、第１立壁部４２とロッド５１のアーム（第１つば部材）６１との間に押接されるように設けられ、第２フェルト６３'は、第２立壁部４２'とロッド５１のワッシャ（第２つば部材）６２との間に押接されるように設けられている。これらの第１及び第２フェルト６３及び６３'によってロッド５１が軸方向に移動せず、第１つば部６１が第１アッパレール１２に当たって発生する音及び第２つば部６２が第２アッパレール１２'に当たって発生する音が防止される。
【特許文献１】特開２００６−０２７３２９号公報
【発明の開示】
【発明が解決しようとする課題】
【０００３】
しかし、上記特許文献１の発明では、ロッド５１のつば部材６１,６１'とロッド５１を挿入する保持穴４３,４３'が開いた立壁部４２,４２'の間にのみ弾性部材であるフェルト６３,６３'があるため、ロッド５１の軸部と保持穴４３,４３'の接触している回転摺動部に隙間があると音発生を防止することができない。逆に音を防止するため、前記回転摺動部に隙間を設定しない構造とすると、保持穴４３,４３'位置のばらつきによって組付け不具合が発生する可能性がある。【０００４】
また、ロッド５１の軸方向の位置は、ロッド５１のつば部材６１,６１'と保持穴４３,４３'が開口した側壁（立壁部４２,４２'）との接触で定まるため、設計上必要なクリアランスをつば部材６１,６１'と保持穴４３,４３'との間に設定した場合、ロッド５１の軸方向のガタが大きくなる。【０００５】
本発明は係る従来の問題点に鑑みてなされたものであり、ロック機構を解除するハンドルのアッパレールに対する組付け性を向上させ、また該ハンドル操作時の音の発生を防止し、該ハンドルとアッパレールとの間の製作上の寸法誤差を吸収して適切に作動することができるハンドル用軸受を備えたシートスライド装置を提供することである。
【課題を解決するための手段】
【０００６】
請求項１に係る発明の構成上の特徴は、車両のフロアに載置されるべく適合されるロアレールと、車両のシートに載置されるべく適合され、前記ロアレールに対して移動可能に支持されたアッパレールと、前記ロアレールと前記アッパレールのどちらか一方に配設されたロック部と、前記ロアレールと前記アッパレールのどちらか他方に配設され前記ロック部に対して係脱可能なロック部材と、を有するロック機構と、前記ロアレールと前記アッパレールのどちらか他方に設けられた保持穴と、前記ロアレールと前記アッパレールのどちらか他方に前記保持穴にて回動可能に軸支されて回動されることにより前記ロック部材を作動させるハンドルと、前記ハンドルに形成された径方向突部と、前記ロアレールと前記アッパレールのどちらか他方と前記径方向突部との間に配設される外縁部、前記ロアレールと前記アッパレールのどちらか他方と前記ハンドルの外周部との間に配設される保持部及び前記ハンドルの軸方向移動を許容する緩衝部を有し、前記保持穴に配設されると共に前記ハンドルを支持する軸受部材とを有することである。【０００７】
請求項２に係る発明の構成上の特徴は、請求項１において、前記軸受部材は、弾性材より形成されていることである。【０００８】
請求項３に係る発明の構成上の特徴は、請求項１において、前記軸受部材は、前記外縁部、前記保持部及び前記外縁部とともに前記保持穴の縁部を挟持する突起で構成され前記保持穴に横方向の移動を規制して嵌合される嵌合保持部を有することである。【０００９】
請求項４に係る発明の構成上の特徴は、請求項１において、前記軸受部材の前記保持部は、前記ハンドルの端部を回動可能に軸支する軸受穴を含み、前記軸受部材の緩衝部は、前記軸受穴の内面より内方へ突出する突起部を含むことである。【００１０】
請求項５に係る発明の構成上の特徴は、請求項３において、前記軸受部材の突起は、前記保持部に形成され且つ前記外縁部に対向すると共に、前記軸受部材が保持穴へ挿入される際に弾性変形により退縮して前記保持穴を通過し、通過後は該保持穴の縁に当接して前記軸受部材が横方向へ移動するのを規制するものである。【００１１】
請求項６に係る発明の構成上の特徴は、車両のフロアに載置されるべく適合される一対のロアレールと、車両のシートに載置されるべく適合され、前記ロアレールに対してレール平面内で前後方向に移動可能に支持された一対のアッパレールと、前記各ロアレールに形成され前記ロアレールの長手方向に並設された複数のロック部及び前記各アッパレールに保持され前記アッパレールの長手方向に伸びる回動軸線回りに回動され前記ロック部に対して係脱可能なロック部材を有するロック機構と、前記各ロック部材を回動させて前記ロック部と前記ロック部材との係合を解除する一対の解除レバーと、前記アッパレールの前後方向と直角な横方向に延在する回動軸線回りに回動可能に且つ前記一対のアッパレールにそれぞれ互いに対向して穿設された保持穴に軸支され回動されることにより前記一対の解除レバーを回動させるハンドルと、前記ハンドルの端部を回動可能に軸支する軸受穴、該端部の軸方向の移動を規制するスラスト軸受部、前記保持穴に横方向の移動を規制して嵌合される嵌合保持部及び前記ハンドルの両端部の横方向距離寸法のばらつきに応じて前記スラスト軸受部を横方向に移動させる横方向緩衝部がそれぞれ形成された一対の軸受部材とを有することである。【００１２】
請求項７に係る発明の構成上の特徴は、請求項６において、前記軸受部材は、前記対向する保持穴の半径方向における保持穴位置の相対的ばらつきを吸収する半径方向緩衝部を有することである。【００１３】
請求項８に係る発明の構成上の特徴は、請求項６において、前記軸受部材は、弾性材より形成され、前記横方向緩衝部は、前記ハンドルの端部に形成された被係合部と、前記嵌合保持部に連続して形成され前記被係合部に係合するとともに弾性変形する範囲で前記軸受部材に対する前記ハンドルの前記横方向の移動を可能とする係合部とを備えていることである。【００１４】
請求項９に係る発明の構成上の特徴は、請求項７において、前記軸受部材は、弾性材より形成され、前記半径方向緩衝部は、前記保持穴と該保持穴に嵌合保持される前記軸受部材の外径との間に形成される半径方向の間隙を含むことである。【００１５】
請求項１０に係る発明の構成上の特徴は、請求項６において、前記保持穴及び前記軸受部材の一方に形成された回動規制被係合部と、前記保持穴及び前記軸受部材の他方に形成されて前記回動規制被係合部と係合して前記保持穴に対して前記軸受部材を回動不能に係合する回動規制係合部と、前記軸受部材及び前記ハンドル端部の一方に形成された回動被規制部と、前記軸受部材及び前記ハンドル端部の他方に形成されて前記回動被規制部と当接して前記軸受部材と前記ハンドルとの相対的な回動角度を規制する回動規制部とを備えていることである。【００１６】
請求項１１に係る発明の構成上の特徴は、請求項１０において、前記軸受部材は弾性材より形成されていることである。  【００１７】
請求項１２に係る発明の構成上の特徴は、車両のフロアに載置されるべく適合されるロアレールと、車両のシートに載置されるべく適合され前記ロアレールに対して移動可能に支持されたアッパレールと、前記ロアレールと前記アッパレールのどちらか一方に配設されたロック部と、前記ロアレールと前記アッパレールのどちらか他方に配設され前記ロック部に対して係脱可能なロック部材と、を有するロック機構と、前記ロアレールと前記アッパレールのどちらか他方に設けられた保持穴と、前記ロアレールと前記アッパレールのどちらか他方に前記保持穴にて回動可能に軸支され回動されることにより前記ロック部材を作動させるハンドルと、前記ハンドルに形成された径方向突部と、前記ロアレールと前記アッパレールのどちらか他方と前記径方向突部との間に配設される外縁部、前記ロアレールと前記アッパレールのどちらか他方と前記ハンドルの外周部との間に配設され前記ハンドルの端部を回動可能に軸支する軸受穴を含む保持部及び前記軸受穴の内面より内方へ突出する突起部を含む緩衝部を有し、前記保持穴に配設されると共に前記ハンドルを支持する軸受部材とを有することである。
【発明の効果】
【００１８】
請求項１に係る発明によると、径方向突部とロアレール又はアッパレールのいずれかとの当接による音の発生を、外縁部により防止することができ、ハンドルの外周部と前記保持穴との接触による音の発生を、保持部により防止することができる。また、緩衝部により、前記保持穴に対するハンドルの軸方向移動が許容されて、ハンドルの端部を保持穴に保持できるので、ロアレール又はアッパレールにハンドルを容易に組付けることができる。【００１９】
請求項２に係る発明によると、軸受部材は弾性材より形成されているので、径方向突部とロアレール又はアッパレールのいずれかとの当接による音の発生、及びハンドルの外周部と前記保持穴との接触による音の発生を確実に防止することができる。また、保持穴にハンドルを組み付ける際に、軸受部材が弾性変形することにより、保持穴及びハンドル相互の製作寸法のばらつきが吸収できるので、組付け性をさらに向上させることができる。【００２０】
請求項３に係る発明によると、前記軸受部材は、嵌合保持部の外縁部及び突起によって前記保持穴に対する横方向の移動が規制されるので、前記保持穴との間でガタを生じたり、該保持穴から抜け落ちたりすることを防止することができる。【００２１】
請求項４に係る発明によると、保持部の軸受穴によりハンドルの端部を回動可能に軸支し、緩衝部に設けられた突起部によりハンドルの端部を把持してハンドルの横方向の移動を規制する一方で、緩衝部として許容する範囲において、ハンドルの横方向の移動を可能とするので、ハンドルの組付け性を向上させるとともに、ハンドルの無駄な動きを無くしてガタが生じるのを防止することができる。【００２２】
このように請求項５に係る発明によると、保持部に形成された突起は、軸受部材が保持穴へ挿入される際には、弾性変形により退縮して保持穴を通過し、通過後は該保持穴の縁に当接して軸受部材が横方向へ移動するのを規制するので、前記軸受部材を簡単且つ迅速に組付けることができる。【００２３】
請求項６に係る発明によると、スラスト軸受部でハンドル端部の軸方向の移動を規制するので、アッパレールにハンドルをガタが生じないように組付けることができる。また、対向する保持穴間の横方向離間寸法と、ハンドルの両端部の横方向距離寸法とが製作上の寸法にばらつきがあっても、軸受部材の横方向緩衝部により、前記横方向離間寸法と前記横方向距離寸法との相対的ばらつきに応じてスラスト軸受部を横方向に移動させて、ハンドルの端部を夫々保持穴に保持するので、アッパレールにハンドルを容易に組付けることができる。【００２４】
請求項７に係る発明によると、半径方向緩衝部により対向する保持穴において保持穴位置の相対的なばらつきを吸収してハンドルの端部を夫々保持穴に保持するので、ハンドルをアッパレールに組付ける際の組付け性を向上させることができる。【００２５】
請求項８に係る発明によると、例えばハンドルの両端部の横方向距離寸法が、対向するアッパレール間の設置距離（対向する保持穴間の横方向距離寸法）よりも長めである場合には、横方向緩衝部が弾性変形することにより、保持穴に嵌合された嵌合保持部とハンドルの端部に設けられた被係合部と間の距離が長くなるので、軸受部材は、ハンドルをアッパレールに組付ける際に、該長くなった位置でハンドルの端部を保持穴に保持することができる。逆にハンドルの両端部の横方向距離寸法が、対向するアッパレール間の設置距離（対向する保持穴間の横方向距離寸法）よりも短めである場合には、横方向緩衝部が弾性変形することにより、保持穴に嵌合された嵌合保持部とハンドルの端部に設けられた被係合部との間の距離が短くなるので、ハンドルをアッパレールに組付ける際に、軸受部材は該短くなった位置でハンドルの端部を保持穴に保持することができる。このように横方向緩衝部の弾性変形により、ハンドルの両端部の横方向距離寸法と対向する保持穴間の横方向距離寸法との製作上の相対寸法のばらつきを吸収し、ハンドルを容易に組み付けることができる。【００２６】
請求項９に係る発明によると、軸受部材の弾性変形と、保持穴と軸受部材の外径との間に形成される半径方向の間隙により、対向する保持穴において保持穴位置の相対的なばらつきを吸収してハンドルの端部を夫々保持穴に保持するので、極めて簡単な構造により、ハンドルをアッパレールに組付ける際の組付け性を向上させることができる。【００２７】
請求項１０に係る発明によると、軸受部材は、回動規制係合部及び回動規制被係合部により、保持穴に回動不能に係合され、ハンドル端部と軸受部材とは、回動規制部及び回動被規制部により互いに相対的な回動角度が規制されるので、ハンドルが保持穴に対して回動する回動端（例えばハンドルの不作動位置）を規制することができる。【００２８】
請求項１１に係る発明によると、軸受部材が弾性材で形成されているので、ハンドルが保持穴に対して回動する回動端での規制を緩和して、ハンドル、保持穴或いは軸受部材自体が傷ついたり破損したりするのを防止することができる。【００２９】
請求項１２に係る発明によると、径方向突部とロアレール又はアッパレールのいずれかとの当接による音の発生を、外縁部により防止することができ、ハンドルの外周部と前記保持穴との接触による音の発生を、保持部により防止することができる。また、保持部の軸受穴によりハンドルの端部を回動可能に軸支する一方で、緩衝部に設けられた突起部によりハンドルの端部を把持してハンドルの横方向の移動を規制する一方で、緩衝部として許容する範囲において、ハンドルの横方向の移動を可能とするので、ハンドルの組付け性を向上させるとともに、ハンドルの無駄な動きを無くしてガタが生じるのを防止することができる。
【図面の簡単な説明】
【００３０】
【図１】は、本発明に係るシートスライド装置の車両のシートにおける位置関係を示す概念図。
【図２】は、シートスライド装置の分解斜視図。
【図３】は、同拡大図。
【図４】は、同軸受部材の取付け状態を示す断面図。
【図５】は、同作動状態を示す図。
【図６】は、同作動状態を示す図。
【図７】は、同作動状態を示す図。
【図８】は、同作動状態を示す図。
【符号の説明】
【００３１】
２…車両用シートスライド装置、４…ロアレール、６…アッパレール、８…ロック機構、１０…径方向突部（解除レバー）、１２…ハンドル、１４…ロック部・ロック機構（ロック孔）、１６…回動軸線、１８…ロック部材・ロック機構（ロックレバー）、２２…保持穴、２４…回動規制被係合部（切欠き係合部）、２６…軸受部材（ハンドル用軸受部材）、２８…嵌合保持部・保持部、３０…保持部・軸受穴（内側軸受穴）、３８…係合部・緩衝部・回動規制部・横方向緩衝部、３８ａ…突起部、３９…スラスト軸受部、４４…間隙・半径方向緩衝部、４６…突起（保持爪部）、５４…回動被規制部・横方向緩衝部（係合穴）。
【発明を実施するための最良の形態】
【００３２】
本発明に係る車両用シートスライド装置の実施形態を図面に基づいて以下に説明する。図１はシートスライド装置の概要を示す斜視図であり、図２はレールトラックとシートスライド装置のロック機構を解除するハンドルの組付け状態を示す概念図である。【００３３】
この車両用シートスライド装置２は、ロアレール４、アッパレール６、ロック機構８、ロック機構８を解除する解除レバー１０及び解除レバー１０を操作するハンドル１２を備えている。図１に示すように、ロアレール４は車両のフロア３に固定されている。アッパレール６は車両のシート５に固定され、ロアレール４に対してレール平面内で前後方向に移動可能に支持されている。図２に示すように、ロック機構８は、ロアレール４に設けられ、ロアレール４の長手方向に並設された複数のロック部としてのロック孔１４と、アッパレール６の長手方向に伸びる回動軸線１６回りに回動され、ロック孔１４に対し係脱可能なロック部材としてのロックレバー１８とを有する。ロックレバー１８は、図略のブラケット部材によりアッパレール６に組付けられ、ロック孔１４に係合する方向へ図略のばね部材により付勢されている。解除レバー１０はハンドル１２の回転軸に対し直角な方向（車両の後方）に突出するように形成され、ロックレバー１８の上部に突設された連動凸部１８ａを押圧することによりロックレバー１８を回動させて、ロック孔１４とロックレバー１８との係合を解除する。【００３４】
図２に示すように、対抗するアッパレール６の前方よりの上端にはハンドル１２の端部が夫々軸支される軸受部２０が形成されている。各軸受部２０には夫々保持穴２２が穿設され、各保持穴２２の内周縁の前後方向には、図３に示すように、保持穴２２の半径方向が開放した回動規制被係合部としての切欠き係合部２４が夫々一対ずつ形成されている。【００３５】
各保持穴２２には、ハンドル１２の端部を回動可能に軸支する軸受部材としてのハンドル用軸受部材２６が夫々嵌合されている。これらのハンドル用軸受部材２６は、例えば弾性を有するプラスチックより形成され、保持穴２２に嵌合する略環状の嵌合保持部２８と、嵌合保持部の内径が構成するハンドル１２の端部を回動可能に軸支する軸受穴としての内側軸受穴３０と、嵌合保持部２８に離間して略環状にかつ保持穴２２の内径よりその外径が小さく形成される外側保持部３２と、外側保持部３２の内径が構成するハンドル１２の端部を回動可能に軸支する外側軸受穴３４とを有している。また、内側軸受穴３０はアッパレール６の保持穴２２とハンドル１２の外周との間に配置される保持部を構成する。また、嵌合保持部２８と外側保持部３２との間には、前後方向に並列して装架され、嵌合保持部２８の外径より半径方向に突出して保持穴２２の切欠き係合部２４に係合する回動規制係合部としての一対の係合連結部３６が形成されている。そして、嵌合保持部２８と外側保持部３２との間には、上下方向に並列して装架され、後述するハンドル１２の上下の係合穴５４に上下方向から係合する係合部３８が形成されている。これら上下一対の係合部３８は、断面四角形の柱状であって、夫々中心方向に突出するように湾曲して形成されている。この係合部３８の中心方向に突出した部分は、軸受穴の内面より内方へ突出する突起部３８ａを構成する。【００３６】
また、係合部３８は、係合穴５４の軸方向の外側端縁に当接して、ハンドル１２の端部の軸方向の移動を規制するスラスト軸受部３９を構成するとともに、弾性変形によりハンドル１２の両端部の横方向距離寸法のばらつきに応じて前記スラスト軸受部３９を横方向に移動させる横方向緩衝部を構成する。また、この係合部３８は、ハンドル１２の端部の軸方向の移動を許容する緩衝部を構成するとともに、内側軸受穴３０の内面より内方へ突出する前記突起部３８ａを含む緩衝部を構成する。【００３７】
また、前記嵌合保持部２８には保持穴２２より少し大きい外径の外縁部４０が形成され、外縁部４０は保持穴２２の内壁縁に当接してハンドル用軸受部材２６が横方向外側へ移動するのを規制する。このように外縁部４０により保持穴２２に対する横方向の移動が規制されるので、ハンドル用軸受部材２６の横方向外側へのガタや抜け落ちを防止することができる。外縁部４０に連続して外側へ形成される嵌合周部４２は外径が保持穴２２の内径より小さく形成され、嵌合周部４２の外径と保持穴２２の内径との間に半径方向の間隙４４が生ずるようになっている。この間隙４４は、対向する保持穴２２の半径方向における保持穴位置の相対的ばらつきを吸収する半径方向緩衝部を構成する。【００３８】
また、前記係合部３８の内側には、内側軸受穴３０が構成する保持部より半径方向へ突出する保持爪部４６が形成され、保持爪部４６は、ハンドル用軸受部材２６が保持穴２２へ挿入される際には、弾性変形により退縮して保持穴２２を通過し、通過した後は保持穴２２の外壁縁に当接してハンドル用軸受部材２６が横方向内側へ移動するのを規制する。この保持爪部４６と前記外縁部４０とにより保持穴２２の縁部を挟持し、ハンドル用軸受部材２６が保持穴２２に対して横方向に移動するのを規制している。これらの外縁部４０、内側軸受穴（保持部）３０及び保持爪部（突起）４６により嵌合保持部２８を構成する。【００３９】
ハンドル１２は特にこの形状に限定されるものではないが、図２に示すように、１本のパイプ材を屈曲させて形成されたもので、横方向（アッパレールの長手方向に直角な方向）に延在する把持部４８と、把持部４８の両端を夫々直角に屈曲させて並列に延在するように形成されたアーム部５０と、各アーム部５０の基部を互いに離反する方向に屈曲させ、前記横方向に延在する回動軸部５２とを備えている。回動軸部５２の端部には円周方向及び軸方向に所定の巾を有する係合穴５４が夫々上下に一対ずつ形成され、係合穴５４には前記係合部３８の突起部３８ａが夫々嵌まり込んで係合される。これらの突起部３８ａによりハンドル１２の端部が把持され、係合穴５４に当接する前記スラスト軸受部３９によりハンドル１２の横方向の自由な移動が規制されるとともに、これらの係合部３８が、撓んだり変形したりできる緩衝部として許容する弾性変形の範囲において、スラスト軸受部３９を横方向に移動させ、ハンドル１２の横方向（ハンドル端部の軸方向と同じ）の動きを可能とするので、ハンドルの組付け性を向上させるとともに、ハンドル１２の無駄な動きを無くしてガタが生じるのを防止することができる。【００４０】
なお、この係合穴５４は、請求項８における被係合部としての役目を有する。また、上下の係合部３８の円周方向の巾は、夫々上下の係合穴５４の円周方向の巾より狭く形成され、係合穴５４の円周方向の両縁部のいずれかに前記係合部３８の円周方向の端部が当接し、互いに当接する回動規制部５６及び回動被規制部５７を構成し、ハンドル用軸受部材２６とハンドル１２とが互いに所定の角度以上回動するのを規制する。本実施形態においては、ハンドル１２の把持部４８が一番下がった位置において、ハンドル１２の上部の係合穴５４の後方の縁部が、上部の係合部３８の後方の端部に当接するとともに、下部の係合穴５４の前方の縁部が、下部の係合部３８の前方の端部に当接して、ハンドル１２の不作動位置を規制する。そして、ハンドル１２の把持部４８が一番上がった位置において、ハンドルの上部の係合穴５４の前方の縁部が、上部の係合部３８の前方の端部に当接するとともに、下部の係合穴５４の後方の縁部が、下部の係合部３８の後方の端部に当接して、ハンドル１２の作動位置を規制する。この作動位置においては、解除レバー１０が、ロックレバー１８の連動凸部１８ａに当接してロックレバー１８を回動させ、ロック孔１４へのロックレバー１８の係合を解除する。【００４１】
この場合、ハンドル用軸受部材２６の係合部３８は弾性体であるので、回動端における係合穴５４との強い当接を緩和して、ハンドル用軸受部材２６自体が傷ついたり破損したりするのを防止することができる。【００４２】
以上のように構成した車両用シートスライド装置２を車両のフロア３に組み付ける場合は、まず、アッパレール６が組み込まれた一方のロアレール４を、車両の前後方向に延在するよう決められた取付位置にボルト・ナット等により固定する。そして、この一方のアッパレール６の保持穴２２には、ハンドル用軸受部材２６を嵌合保持部２８において相対回動不能かつ横方向の移動不能な状態で嵌合させる。次に、ハンドル１２の一方の端部をハンドル用軸受部材２６の軸受穴３０,３４に挿入する。そして、ハンドル１２の一方の端部の係合穴５４にハンドル用軸受部材２６の係合部３８を係合させる。【００４３】
次に、同様にアッパレール６が組み込まれた他方のロアレール４を既に固定された一方のロアレール４と平行に配置する。この他方のアッパレール６の保持穴２２には、前述と同様にハンドル用軸受部材２６が嵌合されている。そして、図４に示すように、ハンドル１２の他方の端部を、このハンドル用軸受部材２６の軸受穴２２に挿入し、ハンドル１２の他方の端部の係合穴５４にハンドル用軸受部材２６の係合部３８を係合させる。【００４４】
このとき、対向する保持穴２２間の横方向離間寸法Ｌ１及びハンドルの両端部の横方向距離寸法Ｌ２が、互いに設計上の所期寸法であれば、図５に示すように、ハンドル用軸受部材２６には、ハンドル用軸受部材２６を変形させる横方向の外的力が生じることなく、ハンドル１２の端部が対向する保持穴２２に夫々保持される。また、スラスト軸受部３９も、ハンドル１２端部の軸方向の力が加わらない状態である。しかし、例えばハンドル１２の両端部の横方向距離寸法Ｌ２が、対向する保持穴２２間の横方向離間寸法Ｌ１に対する前記所期寸法より相対的に長めに形成されているときには、図６に示すように、ハンドル用軸受部材２６の湾曲した係合部３８が夫々弾性変形によりその湾曲が浅くなるように曲がり、係合穴５４の横方向内側の端縁が夫々係合部３８に対して外側へずれる。このずれによって保持穴２２に嵌合された嵌合保持部２８とハンドル１２の端部に設けられた係合穴５４と間の距離が長くなり、該長くなった位置でハンドル１２の両端部を夫々保持穴２２に堅固に保持することができる。また、逆に、例えばハンドル１２の両端部の横方向距離寸法Ｌ２が対向する保持穴２２間の横方向離間寸法Ｌ１に対する前記所期寸法より相対的に短めに形成されているときは、図７に示すように、スラスト軸受部３９は、ハンドル１２の両端が相対的に短くなった分に応じて、軸方向内側へ移動するとともに、ハンドル１２の係合穴５４の外側端縁より軸方向の力を受け、係合部３８が夫々弾性変形によって大きく湾曲し、この大きく湾曲した状態でハンドル１２の両端部を堅固に保持することができる。そのため、保持穴２２の横方向離間寸法Ｌ１に対するハンドル１２の両端部の横方向距離寸法Ｌ２の前記所期寸法より相対的に短いときに生じるガタを防止することができる。【００４５】
このように、横方向緩衝部（係合部等）３８により前記対向する保持穴２２間の横方向離間寸法Ｌ１と、ハンドル１２の両端部の横方向距離寸法Ｌ２と、の製作上の相対的ばらつきが吸収されるので、ガタによる音の発生を防止するとともに保持穴２２に対してハンドル１２が適切に作動する所期位置に容易に組付けることができる。【００４６】
また、例えば図８に示すように、対向する保持穴２２において保持穴位置が相対的に半径方向にＴずれている場合でも、ハンドル用軸受部材２６の弾性変形と、保持穴２２とハンドル用軸受部材２６の外径との間に形成される半径方向の間隙４４により、対向する保持穴２２において保持穴位置の相対的なばらつきを吸収するので、このような極めて簡単な構造により、ハンドル１２をアッパレール６（対向する保持穴２２）に組付ける際の組付け性を向上させることができる。【００４７】
以上のように組付けられた車両用シートスライド装置２では、ハンドル１２の把持部４８を操作しない状態（ロック状態）においては、解除レバー１０の先端部が上がっており、ロックレバー１８の連動凸部１８ａと離れているため、ロックレバー１８がロック孔１４に対して係入された状態が保持される。この場合、ハンドル１２は、前記回動規制部５６及び前記回動被規制部５７により、ハンドル１２の不作動位置でそれ以上把持部４８が下がらないように規制される。【００４８】
ハンドル１２の把持部４８を引き上げる操作をすると、解除レバー１０の先端部が下がり、連動凸部１８ａに当接し、連動凸部１８ａを押し下げ、ロックレバー１８を回動させて、ロック孔１４に対するロックレバー１８の係合を解除してアッパレール６を移動可能にすることができる（解除状態）。この場合、ハンドル１２は、前記回動規制部５６及び前記回動被規制部５７により、ハンドル１２の作動位置でそれ以上把持部４８が上がらないように規制される。上記のようなハンドル１２操作において解除レバー（径方向突部）１０とアッパレール６との間にはハンドル用軸受部材２６の外縁部４０が設けられているので、解除レバー１０とアッパレール６の当接によって生じる音の発生を防止することができ、ハンドル１２外周部とアッパレール６の保持穴２２との接触による音の発生を内側軸受穴３０が構成するハンドル用軸受部材２６の保持部によって防止することができる。【００４９】
なお、ハンドル用軸受部材について、本実施形態では弾性を有するプラスチックとしたが、これに限定されず、例えば不織布、ゴムなど弾性を有する既知の材質のものを使用することができる。【００５０】
また、ハンドル用軸受部材はアッパレールに組み付けるものとしたが、これに限定されず、ロック機構の構成により、例えばロアレールに組み付けるものでもよい。【００５１】
また、ハンドル用軸受部材の係合部３８の端部を回動規制部５６とし、それに当接するハンドルの係合穴５４の周方向の端部を回動被規制部５７としたが、これに限定されず、例えばハンドル用軸受部材に係合穴に該当するものが設けられ、ハンドルに係合部に該当するものが設けられているときには、ハンドルに設けられた係合部が回動被規制部となり、ハンドル用軸受部材に設けられた係合穴が回動規制部となってもよい。【００５２】
また、ハンドル用軸受部材をハンドルの両端部を夫々軸支するように使用するものとしたが、これに限定されず、例えば一方の端部だけに使用するものでもよい。これによって、アッパレール（ロアレール）に対するハンドルの軸方向の位置を柔軟に規制して、円滑にハンドルを回動させることができる。【００５３】
また、外縁部４０に対向する突起としての保持爪部４６は、係合部３８の内側に保持部から半径方向に突出するように一対で形成されたものとしたが、これに限定されず、例えば、外縁部４０に対向して環状に形成される環状突起であってもよい。環状突起とすることで、保持穴へのハンドル用軸受部材の保持力をより強くすることができる。【００５４】
また、上記実施形態において、ハンドル用軸受部材のスラスト軸受部を、ハンドルの係合穴の外側端縁に当接する部分としたが、これに限定されず、例えば、前記係合穴の内側端縁に当接する部分を、ハンドル端部の軸方向に対して傾斜の急な形状とすることにより、該内側端縁に当接する部分をスラスト軸受部としてもよい。
【産業上の利用可能性】
【００５５】
本発明に係る車両用シートスライド装置は、車両のシートにおいてスライド機構をシート下のハンドルで操作するものに有用であり、特にシートをフロアに組付ける組付け易さやガタ音防止が要求される場合に適している。
【図１】
2008018435.tif 000003
【図２】
2008018435.tif 000004
【図３】
2008018435.tif 000005
【図４】
2008018435.tif 000006
【図５】
2008018435.tif 000007
【図６】
2008018435.tif 000008
【図７】
2008018435.tif 000009
【図８】
2008018435.tif 000010
【国際調査報告】
2008018435.tif 000011
2008018435.tif 000012